(57)【特許請求の範囲】
【請求項１】
アルミニウムを押出成形することにより断面形状が略コ字状の等断面に成形された型材からなる長手部材は、前面に凹窪部と該凹窪部に隣接する縦溝が形成され、一方の側縁に丸軸状ジョイント部が一体に形成され、他方の側縁に切欠環状ジョイント部が一体に形成され、該ジョイント丸軸状部と該切欠環状ジョイント部の内側に一対の溝状レール部が相対するように形成され、該長手部材と同形のものをハウジング内に複数枚並列状に配置し、該長手部材の丸軸状ジョイント部を隣り合う長手部材の切欠環状ジョイント部を遊嵌することにより、該各長手部材を隣り合うものどうし屈折可能に連結し、前面にＬＥＤ素子が実装され裏面に電線コネクタが突設された配線基板を前記長手部材の一端から前記溝状レール部中にスライドさせることにより該配線基板を該長手部材の前面に装着し、前記電線コネクタを前記凹窪部に収納するとともに、該配線基板に貫挿したビスを前記縦溝に螺入することにより、複数枚の該配線基板が該長手部材の長手方向に所望間隔で止着されるようにしたことを特徴とするＬＥＤ照明灯。
【発明の詳細な説明】
【技術分野】
【０００１】
本発明は、光源として多数個のＬＥＤ（発光ダイオード）素子を使用したＬＥＤ照明灯に関し、さらに詳しくはその照射方向を微調整可能にすると共に組立を容易にした構造に関するものである。
【背景技術】
【０００２】
一般にＬＥＤ素子は、消費電力が少なく寿命も長いことから、蛍光灯に代わって街路灯として使用することのメリットは大きいと云えるが、街路灯としての明るさを得るためには多数個のＬＥＤ素子を設ける必要があり、そのために従来では、図８に示したように、取付基板ａを適宜角度の折板状に形成し、複数個のＬＥＤ素子ｂが実装された配線基板ｃを該取付基板ａの前面にスペーサｄを介してビスｅにより固着する構造が採られていた。
また、下記特許文献１は、複数個のＬＥＤ素子を可撓性の基板に所定間隔で取付けることにより、該ＬＥＤ素子を任意の形状に配置できるようにした照明装置を開示するものである。
【特許文献１】特開２００５−２２２９０３号公報
【発明の開示】
【発明が解決しようとする課題】
【０００３】
ところで、上記図８に示した構造では、配線基板ｃの取付，組立に手間が掛かるという問題があると共に、取付基板ａは容易には変形できないので、例えば街路灯設置現場の状況に合わせて個々の配線基板ｃのＬＥＤ素子ｂの照射方向を微調整するようなことができないものであった。また、ＬＥＤ素子ｂ等の発熱により配線基板ｃが高温度になることがあるが、上記構造では該配線基板ｃが取付基板ａから離間しているので放熱が効率的になされないという問題があった。
また、特許文献１に示された可撓性の基板では、取付後にもＬＥＤ素子が無用に動いてしまうおそれがある。
本発明はこのような課題を解決しようとするものである。
【課題を解決するための手段】
【０００４】
そのために請求項１に記載したＬＥＤ照明灯は、アルミニウムを押出成形することにより断面形状が略コ字状の等断面に成形された型材からなる長手部材は、前面に凹窪部と該凹窪部に隣接する縦溝が形成され、一方の側縁に丸軸状ジョイント部が一体に形成され、他方の側縁に切欠環状ジョイント部が一体に形成され、該ジョイント丸軸状部と該切欠環状ジョイント部の内側に一対の溝状レール部が相対するように形成され、該長手部材と同形のものをハウジング内に複数枚並列状に配置し、該長手部材の丸軸状ジョイント部を隣り合う長手部材の切欠環状ジョイント部を遊嵌することにより、該各長手部材を隣り合うものどうし屈折可能に連結し、前面にＬＥＤ素子が実装され裏面に電線コネクタが突設された配線基板を前記長手部材の一端から前記溝状レール部中にスライドさせることにより該配線基板を該長手部材の前面に装着し、前記電線コネクタを前記凹窪部に収納するとともに、該配線基板に貫挿したビスを前記縦溝に螺入することにより、複数枚の該配線基板が該長手部材の長手方向に所望間隔で止着されるようにしたことを特徴とする。
【０００５】
【０００６】
【０００７】
【発明の効果】
【０００８】
長手部材をジョイント部によって屈折することにより、配線基板に設けられたＬＥＤ素子を所望方向に指向させることができ、その照射方向を容易に微調整できるようになる。また、長手部材に対し配線基板をスライドさせるだけで容易に装着できるようになる。また、配線基板の熱が長手部材によく伝達されるので放熱性が改善され過熱が防止される。また、押出成形により長手部材を成形しこれを適宜長さに切断することで、照明灯の大きさに合わせた所要長の長手部材を簡単に得ることができる。
【発明を実施するための最良の形態】
【０００９】
次に本発明の実施形態を図面に従い説明する。図１は支柱１の上部に二股状の取付金具２を固設し、該取付金具にビス３，４を介して本発明に係るＬＥＤ照明灯５を支持することにより街路灯として使用する形態を示し、図２はそのＡ−Ａ線矢視図、図３はそのＢ−Ｂ線断面図、図４はＣ−Ｃ線断面図である。なお、ビス４を緩めることにより該ＬＥＤ照明灯５の向きを調整できる。
【００１０】
該ＬＥＤ照明灯５のハウジング６は、図５にも示したように、略長方形板状のベース体７に枠状のカバー体８を被着すると共に該カバー体の正面開口８ａに透光性のアクリル板９を張設してなる。なお、８ａは該ベース体７とカバー体８とを固着しているビスである。そしてベース体７の内面の両端縁寄りに山形状に起立する支持板７ａが突設され、支持板７ａには適宜間隔で円弧形の長孔７ｂが形成されている。なお、７ｃは電線貫通用の丸孔である。
【００１１】
１０はアルミニウムを押出成形することにより断面形状が略コ字状の等断面に成形された型材からなる長手部材で、該長手部材は、図６に示したように、一方の側縁に丸軸状のジョイント部１０ａが形成され、他方の側縁に該ジョイント部１０ａの外周に遊嵌し得る切欠環状のジョイント部１０ｂが形成され、該ジョイント部１０ａおよびジョイント部１０ｂの内側に相対するように溝状レール部１０ｃ，１０ｄが形成されている。１２は複数のＬＥＤ素子１１が実装された配線基板で、該配線基板１２を該長手部材１０の一端から前記溝状レール部１０ｃ，１０ｄ中にスライドさせることにより該配線基板１２が該長手部材の前面に装着されるようにしている。なお、１０ｅは該配線基板の裏面に突設された電線コネクタ１２ａが収納されるように該長手部材の前面に形成された凹窪部である。また、１０ｆは該凹窪部に隣接するように形成された縦溝で、該配線基板１２が無用にスライドしてしまうのを防ぐために該配線基板１２にビス１３を貫挿し該ビスを該縦溝１０ｆに螺入止着し得るようにしている。また、１０ｇは該長手部材の外側（裏側）の略中間部に形成された切欠円形の横溝で、該横溝に後述するビス１４を螺入止着し得る。このため該長手部材１０は、これと同形のものを複数枚並列状に配置し、その隣り合うものどうしの互いのジョイント部１０ａ，１０ｂを合致させることにより、該ジョイント部にて屈折可能に連結することが可能となる。なお、ジョイント部１０ａの外径をジョイント部１０ｂの内径よりも僅かに大きくすることにより屈折時に適宜抵抗が得られ、その屈折角度を一定に維持することができる。
【００１２】
このＬＥＤ照明灯では、連結板１５を頂点とする裾広がりの山形になるように、該連結板１５を真中にしてその両側に夫々３枚の長手部材１０を対称的に並設している。なお、連結板１５は横断面が直交状に屈曲し両側縁にジョイント部１５ａ，１５ｂが形成され、該ジョイント部１５ａ，１５ｂに長手部材１０のジョイント部１０ａ，１０ｂが夫々遊嵌されるようにしている。そして、前記支持板７ａの長孔７ｂにビス１４を貫挿し該ビス１４を横溝１０ｇに螺入止着することにより、該各長手部材１０がこの状態に固定されるようにしている。このため、各長手部材１０は隣り合う長手部材に対し所望の屈折角度に調整し、それに応じてビス１４を長孔７ｂ中で移動させて該ビス１４を横溝１０ｇに螺入止着することによりその屈折角度に固定することができ、これによって各配線基板１２に設けられたＬＥＤ素子１１から出る光の照射方向をこのＬＥＤ照明灯の取付現場の要請に従い所望方向に微調整することができる。
【００１３】
また、長手部材１０に溝状レール部１０ｃ，１０ｄを設けたことで配線基板１２の装着が容易になると共に、該配線基板１２の熱が長手部材１０に伝達され易くなり、長手部材１０を熱伝導度の高いアルミニウム製とすることにより放熱が容易になるので、ＬＥＤ素子等の劣化の原因となる過熱が防止される。また、溝状レール部１０ｃ，１０ｄ内に放熱グリスを充填することにより放熱性を一層改善することができる。
【００１４】
一方、図７に示した実施形態は、４枚の長手部材１０を互いに少し内向きとなるように屈折させることで該各長手部材１０に設けられた配線基板１２の多数のＬＥＤ素子１１の光が一点に集められるようにその屈折角度を調整したものである。このようにこの長手部材１０を使用することにより照明の用途に応じ照射方向を自由に設定することが可能となる。なお、図７中の上記実施形態と同一符号は同一部分を表す。
【００１５】
【産業上の利用可能性】
【００１６】
このため本発明のＬＥＤ照明灯は実施形態に示した街路灯として利用できる他、種々の信号灯、或いは、室内灯など種々の用途に利用することができる。
【図面の簡単な説明】
【００１７】
【図１】本発明に係るＬＥＤ照明灯を街路灯として使用する形態を示した側面図。
【図２】図１のＡ−Ａ線矢視図。
【図３】図１のＢ−Ｂ線断面図。
【図４】図１のＣ−Ｃ線断面図。
【図５】図３のＤ−Ｄ線断面図。
【図６】本発明に係るＬＥＤ照明灯の長手部材の斜視図。
【図７】本発明の他の実施形態を示したＬＥＤ照明灯の要部の断面図。
【図８】従来のＬＥＤ照明灯の要部の断面図。
【符号の説明】
【００１８】
５                ＬＥＤ照明灯
６                ハウジング
７                ベース体
７ａ              支持板
７ｂ              長孔
８                カバー体
１０              長手部材
１０ａ            丸軸状ジョイント部
１０ｂ            切欠環状ジョイント部
１０ｃ，１０ｄ    溝状レール部
１０ｅ            凹窪部
１０ｆ            縦溝
１０ｇ            横溝
１１              ＬＥＤ素子
１２              配線基板
１３，１４        ビス
１５              連結板
【図１】
0004564917.tif 000002
【図２】
0004564917.tif 000003
【図３】
0004564917.tif 000004
【図４】
0004564917.tif 000005
【図５】
0004564917.tif 000006
【図６】
0004564917.tif 000007
【図７】
0004564917.tif 000008
【図８】
0004564917.tif 000009